(57)【要約】【課題】内視鏡が湾曲した状態でもスムーズに針体の突没操作が可能な内視鏡用注射具を提供すること。【解決手段】液体を流入させるための中空長尺状の内チューブ２と、内チューブ２の先端に設けられた中空の針体と、内チューブ２が長手方向に進退自在に挿通可能な中空長尺状の外チューブ１と、内チューブ２と外チューブ１の基端側に取り付けられ、外チューブ１に対して内チューブ２を進退操作するための操作部４を備える内視鏡用注射具１００において、内チューブ２の外周に、外チューブ１の内周面と接触したときの接触面積を減らすための接触面積低減手段である凸部２ａを備える。【選択図】図２
2018102631.tif 000002
【特許請求の範囲】
【請求項１】
液体を流入させるための中空長尺状の内チューブと、
該内チューブの先端に設けられた中空の針体と、
前記内チューブが長手方向に進退自在に挿通可能な中空長尺状の外チューブと、
前記内チューブと前記外チューブの基端側に取り付けられ、前記外チューブに対して前記内チューブを進退操作するための操作部を備える内視鏡用注射具において、
前記内チューブの外周または前記外チューブの内周に、対向面と接触したときの接触面積を減らすための接触面積低減手段を備えることを特徴とする内視鏡用注射具。
【請求項２】
請求項１に記載の内視鏡用注射具において、
前記接触面積低減手段は、長手方向の略全長に亘って断面半円状となる凸部であることを特徴とする内視鏡用注射具。
【請求項３】
請求項１または２に記載の内視鏡用注射具において、
前記内チューブと前記針体とを接続する中空の接続部材を設け、
該接続部材の外周に前記外チューブと接触したときの接触面積を減らすための第二の接触面積低減手段を備えることを特徴とする内視鏡用注射具。
【請求項４】
請求項１から３のいずれかに記載の内視鏡用注射具において、
前記内チューブの内周に、内チューブを補強するための補強手段を設けることを特徴とする内視鏡用注射具。
【請求項５】
請求項４に記載の内視鏡用注射具において、
前記補強手段は、長手方向略全長に亘って断面半円状となる凸部であることを特徴とする内視鏡用注射具。
【請求項６】
請求項１〜５のいずれかに記載の内視鏡用注射具において、
前記内チューブ及び外チューブは、透過性を有するポリエーテルエーテルケトンにより構成されることを特徴とする内視鏡用注射具。
【発明の詳細な説明】
【技術分野】
【０００１】
本発明は、体腔内に挿入され、体腔内の粘膜下層などに液体を注入するための内視鏡用注射具に関する。
【背景技術】
【０００２】
一般に食道、胃、大腸等の粘膜を切除する内視鏡的粘膜切除術（ＥＭＲ）及び内視鏡的粘膜下層剥離術（ＥＳＤ）を行う際には、粘膜下層に内視鏡用注射具を用いて生理食塩水や薬液等（以下、単に液体とも言う）を注入して粘膜下層を浮かせた状態とし、高周波メスや高周波スネアなどにより切除する。
上記内視鏡用注射具は、内視鏡のチャネルに挿通されて、内視鏡のチャネルの先端から突出した状態で、患部に対して先端の針を穿刺して液体を注入するものであり、先端に針体が設けられた内チューブとその内チューブを挿通自在にする外チューブとを有し、操作部により内チューブを外チューブに対し進退操作して、針体を外チューブから突没させるとともに、操作部に装着する注射筒から内チューブ及び針体を介して液体を患部に注入する。
【０００３】
このような内視鏡用注射具に用いられる針体は、穿刺による傷を小さくするために、例えば外径０．６５ｍｍ以下のものが好ましいのに対し、内チューブの内径は、注入時の抵抗を少なくするために例えば０．８ｍｍ以上とすることが好ましいが、針体の外径に内チューブの内径を合わせると内チューブが細くなり、内管チューブの内径に針体を合わせると針体が太くなってしまう。このような課題を解決するものとして、例えば下記特許文献１に記載のような、針体の外周と内チューブ内周とのクリアランス（隙間）を接着剤などの部材で埋めることにより、細い針体を用いつつ内チューブの内径を大きくとることのできる内視鏡用注射具が提案されている。
【先行技術文献】
【特許文献】
【０００４】
【特許文献１】特開２００１−０５８００６号公報
【発明の概要】
【発明が解決しようとする課題】
【０００５】
しかしながら、特許文献１に記載された内視鏡用注射具は、上述のように内チューブの内径を大きくとることができるが、内管チューブの径が大きくなると、内チューブの外径と外チューブの内径とのクリアランス（間隙）が狭くなる。
通常、患者の体内に挿入される内視鏡は、体腔内の形状に合わせて湾曲するため、内視鏡用注射具も湾曲し、このように内視鏡用注射具が湾曲した状態では、内チューブおよび外チューブ同士が接触する。内チューブと外チューブとの接触は、内チューブの外径と外チューブの内径とのクリアランスが狭いほど強くなるため、針体の突没の際に、摩擦抵抗が大きくなり、針体を操作しづらいと共に突没操作に時間がかかるという課題がある。
【０００６】
このような課題に鑑みて、本発明は、内視鏡が湾曲した状態でもスムーズに針体の突没操作が可能な内視鏡用注射具を提供することを目的とする。
【課題を解決するための手段】
【０００７】
前記目的を達成するために本発明は、液体を流入させるための中空長尺状の内チューブと、内チューブの先端に設けられた中空の針体と、前記内チューブが長手方向に進退自在に挿通可能な中空長尺状の外チューブと、前記内チューブと前記外チューブの基端側に取り付けられ、前記外チューブに対して前記内チューブを進退操作するための操作部を備える内視鏡用注射具において、前記内チューブの外周または前記外チューブの内周に、対向面と接触したときの接触面積を減らすための接触面積低減手段を備えることを特徴とする。
【０００８】
また、前記接触面積低減手段は、長手方向の略全長に亘って断面半円状となる凸部であってもよく、前記内チューブと前記針体とを接続する中空の接続部材を設け、該接続部材の外周に前記外チューブと接触したときの接触面積を減らすための第二の接触面積低減手段を備えてもよい。
【０００９】
さらに、前記内チューブの内周に、内チューブを補強するための補強手段を設けてもよく、前記補強手段は、長手方向略全長に亘って断面半円状となる凸部であってもよい。
【００１０】
また、前記内チューブ及び外チューブは、透過性を有するポリエーテルエーテルケトンにより構成されていてもよい。
【発明の効果】
【００１１】
本発明による内視鏡用注射具は、液体を流入させるための中空長尺状の内チューブと、内チューブの先端に設けられた中空の針体と、前記内チューブが長手方向に進退自在に挿通可能な中空長尺状の外チューブと、前記内チューブと前記外チューブの基端側に取り付けられ、前記外チューブに対して前記内チューブを進退操作するための操作部を備える内視鏡用注射具において、前記内チューブの外周または前記外チューブの内周に、対向面と接触したときの接触面積を減らすための接触面積低減手段を備えることにより、外チューブと接するため内チューブとの間の摩擦が低減されて摺動がなめらかになり、内視鏡が湾曲した状態でもスムーズな針体の突没操作が可能となる。
【図面の簡単な説明】
【００１２】
【図１】本発明による内視鏡用注射具の全体図。
【図２】第１実施例による内視鏡用注射具の先端部を示す断面図。
【図３】第２実施例による内視鏡用注射具の先端部を示す断面図。
【図４】第３実施例による内視鏡用注射具の先端部を示す断面図。
【図５】第４実施例による内視鏡用注射具の先端部を示す断面図。
【発明を実施するための形態】
【００１３】
以下、本発明による内視鏡用処置具の実施形態を図面を参照して詳細に説明する。
［第１実施例］
本発明の第１実施形態による内視鏡用注射具１００は、図示しない内視鏡のチャネル内に挿入され、体腔内の粘膜下層などに薬液を注入するためのものであって、図１に示すように、中空長尺状の外チューブ１と、外チューブ１の内部に配置される中空長尺状の内チューブ２と、内チューブ２の先端に取り付けられた中空の針体３と、外チューブ１および内チューブ２の基端側に取り付けられる操作部４とを備える。
【００１４】
外チューブ１は、例えばＰＥＥＫ（ポリエーテルエーテルケトン）樹脂やＰＴＦＥ（ポリテトラフルオロエチレン）等からなり、内部に内チューブ２を挿通するために可撓性のある中空の長尺状に形成され、基端には後述する操作部本体４ａが連結される。また、外チューブ１の先端は内側に折り曲げ形成されており、後述する内チューブ２が先端から突出しないようになっている。
【００１５】
内チューブ２は、例えばＰＥＥＫ（ポリエーテルエーテルケトン）樹脂やＰＴＦＥ（ポリテトラフルオロエチレン）等からなり、薬液等を送液するために可撓性のある中空の長尺状に形成され、先端には後述する針体３が連結され、基端には後述するスライダ４ｂが連結される。
内チューブ２の外周には、図２（ａ）のＡ−Ａ断面を示す図２（ｂ）に示すように、対向面である外チューブ１の内周面との接触時の接触面積を減らして摩擦を低減するための接触面積低減手段である断面略半円の複数の凸部２ａが長手方向の全長に亘り形成されている。
【００１６】
なお、本実施例においては、凸部２ａを４箇所としたが、これに限られず、少なくとも２箇所以上あればよい。
また、凸部２ａの形状は、外チューブ１との接触面積を減少させる形状であればよいため、上記のよう断面略半円の凸部を長手方向全長に亘り形成するものに限られず、例えば断面略半円の凸部を断続的に設けるようにしてもよく、半球状の凸部を複数設けるようにしてもよく、凸部の断面は三角形や台形などにしてもよい。
さらに、凸部等の接触面積低減手段の形成方法は、押し出し成型などにより内チューブに凸部を一体的に形成してもよく、また内チューブの外周に凸部を後から取り付けるようにしてもよく、内チューブの外周に長手方向の溝を複数形成することにより結果的に凸部となるようにしてもよい。
【００１７】
なお、外チューブ１及び内チューブ２は、非結晶化により透過性を有するように製造されたＰＥＥＫ（ベンゼン環がエーテル結合とケトン結合によってつながるポリマーであるポリエーテルエーテルケトン）により構成すると好ましく、この場合には、透過性を有するため、内チューブ２の内部の液体が見やすく、また例えばＰＴＦＥ（ポリテトラフルオロエチレン）に比べて強度があるため薄く形成でき、内径を広くとることができる。
【００１８】
針体３は、ステンレス等のような硬質の金属材または硬質のプラスチック材等により形成されており、図２に示すように、先端部分が斜めにカットされた針状に形成されている。
針体３の外周は、円筒状の接続部材５を介して内チューブ２の先端側内周に取り付けられており、針体３の外径よりも内チューブ２の内径を大きくとれるようにしている。なお、接続部材５は接着剤その他で取り付けられている。
【００１９】
操作部４は、図１に示すように、外チューブ１の基端に連通して接続される中空の操作部本体４ａと、外チューブ１および操作部本体４ａの内部に挿通される内チューブ２の基端側に接続され、内チューブ２と連通して接続される筒状のスライダ４ｂを備え、操作部本体４ａに対してスライダ４ｂを進退操作することにより、内チューブ２の先端に取り付けられた針体３を外チューブ１の先端から突没させることができる。
また、スライダ４ｂの基端側にはコネクターが配置されており、コネクター４ｃに注射筒（図示せず）を接続して、生理食塩水や薬液等の液体を注入することができる。
【００２０】
上記構成の内視鏡用注射具１００を使用するときには、予め患者の体腔内に挿入された内視鏡（図示せず）のチャネル内に、外チューブ１の内部に針体３を収納した状態で挿通され、患部付近において、先端側を内視鏡の先端から突出させる。そして、操作部本体４ａに対してスライダ４ｂを進退操作することにより、内チューブ２の先端に取り付けられた針体３を外チューブ１の先端から突出させて、患部に針体３を穿刺する。この状態で、コネクター４ｃに接続された注射筒等から送られた生理食塩水や薬液等の液体を内チューブ２及び針体３を介して患部の粘膜下層に注入して、粘膜下層を浮かせた状態とし、高周波メスや高周波スネアなどにより切除する。
【００２１】
本実施例の内視鏡用注射具１００は、内チューブ２の外周に、外チューブ１の内周面との接触時の接触面積を減らして摩擦抵抗を低減するための接触面積低減手段である断面略半円の複数の凸部２ａが長手方向の全長に亘り形成されていることにより、凸部２ａの頂点のみが外チューブ１の内壁と接するため内チューブ２と外チューブ１との間の摩擦が低減されて摺動がなめらかになり、内視鏡が湾曲した状態でもスムーズな針体の突没操作が可能となる。
【００２２】
［第２実施例］
前述の第１実施例においては、内チューブの外周に、外チューブの内周面との接触時の接触面積を減らして摩擦を低減するための接触面積低減手段である断面略半円の複数の凸部を長手方向全長に亘り形成する例を説明したが、これに限られず、例えば図３（ａ）のＢ−Ｂ断面を示す図３（ｂ）に示すように、外チューブ６の内周に、内チューブ７の外周面との摩擦を低減するための接触面積低減手段である断面略半円の複数の凸部６ａを長手方向全長に亘り形成してもよい。
なお、上記の構成以外の構成については、第１実施例と同様であるため省略する。
【００２３】
なお、第１実施例と同様に、凸部６ａは少なくとも２箇所以上あればよい。凸部６ａの形状は、内チューブ７との接触時の接触面積を減少させる形状であればよいため、断面略半円の凸部を全長ではなく断続的に設けることや、半球状の凸部を複数設けるようにしてもよい。また、凸部の断面は頂点部分のみが内チューブ外周面と接する三角形や台形などの形状でもよい。
また、第１実施例と同様に接触面積低減手段の形成方法は、押し出し成型などにより外チューブに凸部を一体的に形成してもよく、また外チューブの内周に凸部を後から取り付けるようにしてもよく、外チューブの内周に長手方向の溝を複数形成することにより結果的に凸部となるようにしてもよい。
【００２４】
本実施例によると、外チューブ６の内周に、内チューブ７の外周面との摩擦抵抗を低減するための接触面積低減手段である断面略半円の複数の凸部６ａが長手方向全長に亘り形成されていることにより、凸部６ａの頂点のみが内チューブ７の外周面と接するため、内チューブ７と外チューブ６との間の摩擦が低減されて摺動がなめらかになり、内視鏡が湾曲した状態でもスムーズに針体の突没操作が可能となる。
【００２５】
［第３実施例］
前述の実施例においては、内チューブの外周または外チューブの内周に凸部を設ける例を説明したが、これに限られず、例えば図４（ａ）に示すような、接続部材１０が、外径が内チューブ９と略同径の太径部と内チューブ９の内径と略同径の細径部とを有して、内チューブ９により細径部を覆うように取り付けるものである場合など、湾曲時に接続部材１０が外チューブ８に接触するような形状の場合は、図４（ｂ）に示すように、接続部材１０の外周にも凸部１０ａを形成してもよい。
なお、上記の構成以外の構成については、上述の実施例と同様であるため省略する。
【００２６】
本実施例によると、前述の実施例の効果に加え、接続部材の凸部１０ａのみが外チューブ８の内壁と接するため、接続部材と外チューブとの摩擦抵抗も低減することができ、針体の突没操作がスムーズになる効果も奏する。
【００２７】
［第４実施例］
前述の実施例においては、針体と内チューブとの間に接続部材を設ける例を説明したが、これに限られず、図５に示すように、接続部材を設けずに、内チューブ１２に針体３を直接取り付け、内チューブ１２の収縮力により針体３を締め付けて固定するようにしてもよい。
内チューブ１２の外周には、図５（ｂ）及び（ｃ）に示すように、外チューブ１１の内周面との接触時の接触面積を減らして摩擦を低減するための接触面積低減手段である断面略半円の複数の凸部１２ａが長手方向全長に亘り形成されている。
また、図５（ｃ）に示すように、内チューブ１２の内周は、内部に注入される液体がスムーズに流動するよう内径を広く形成してあり、内チューブ１２の強度を保つための補強手段である凸部１２ｂが、針体３の後端近傍から長手方向全長に亘り形成されている。
なお、上記の構成以外の構成については、上述の実施例と同様であるため省略する。
【００２８】
本実施例によると、内チューブ１２の外周に、外チューブ１１の内周面との接触時の接触面積を減らして摩擦抵抗を低減するため接触面積低減手段である断面略半円の複数の凸部１２ａが長手方向の全長に亘り形成されていることにより、凸部１２ａの頂点のみが外チューブ１１の内壁と接するため内チューブ１２と外チューブ１１との間の摩擦が低減されて摺動がなめらかになり、内視鏡が湾曲した状態でも針体の突没操作がスムーズになる効果を奏する。
また、接続部材を設けずに直接針体に内チューブ１２を取り付けたことにより、少ない部品で内視鏡注射具を製造することができる。
内チューブ１２の内周を薄く形成するとともに凸部１２ｂを長手方向に設けたことにより、液体が流動し易く、また強度を保ちつつ内径を広くとることができるため液体の流動がスムーズになる。
【符号の説明】
【００２９】
１      外チューブ
２      内チューブ
２ａ    凸部
３      針体
４      操作部
１００  内視鏡用注射具
【図１】
2018102631.tif 000003
【図２】
2018102631.tif 000004
【図３】
2018102631.tif 000005
【図４】
2018102631.tif 000006
【図５】
2018102631.tif 000007